(57)【要約】本発明は、携帯用通信装置のバッテリの取り外しを検出する方法および、検出回路（２）を備える携帯用通信装置に関する。携帯用通信装置の起動中は検出回路２の電源が入っており、検出回路（２）の第１の入力（Ａ）は第１の論理レベルに設定され、第２の入力（Ｂ）は第２の論理レベルに設定される。検出回路（２）の出力（ｑ）は第３の入力（Ｑ）に供給され、検出回路（２）の新規出力値（ｑ）は第１、第２、第３の入力に基づき、記憶手段に格納される。
2011517166.tif 000002
【特許請求の範囲】
【請求項１】
バッテリが携帯用通信装置から取り外されたか否かを検出する方法であって、
前記携帯用通信装置の起動中に検出回路の電源をオンにする工程と、
前記検出回路の第１の入力を第１の論理レベルに設定する工程と、
前記検出回路の第２の入力を第２の論理レベルに設定する工程と、
前記検出回路の出力を前記検出回路の第３の入力に供給する工程と、
前記第１、第２、第３の入力に基づき前記検出回路の新規出力値を生成する工程と、
前記新規出力値を記憶手段に保存する工程と
を備えることを特徴とする方法。
【請求項２】
一旦前記新規出力値が保存されると、前記検出回路の前記第２の入力を前記第１の論理レベルに設定する工程をさらに備えることを特徴とする請求項１に記載の方法。
【請求項３】
前記携帯用通信装置のスイッチが切られ、かつ、前記バッテリが定位置にある場合に、前記検出回路に前記出力値を保持するのに十分な電力を与える工程を備えることを特徴とする請求項１または２に記載の方法。
【請求項４】
前記携帯用通信装置の前記バッテリが取り外された場合に、前記検出回路への前記電力の供給を切り、前記出力値を前記第２の論理レベルに設定する工程を備えることを特徴とする請求項１または２に記載の方法。
【請求項５】
前記検出回路の前記第１の入力を前記第１の論理レベルに設定する前記工程は、
レベルシフトされたバッテリ電圧を前記入力に与える工程を含むことを特徴とする請求項１乃至４のいずれか１項に記載の方法。
【請求項６】
前記検出回路の前記第２の入力を前記第２の論理レベルに設定する前記工程は、
前記携帯用通信装置の起動中は電圧調整器からの電圧を供給する工程を含むことを特徴とする請求項１乃至５のいずれか１項に記載の方法。
【請求項７】
バッテリと、
前記バッテリが携帯用通信装置から取り外されたか否かを検出するための検出回路と、を備える携帯用通信装置であって、
前記検出回路は、
前記バッテリに接続された第１の入力と、
前記携帯用通信装置の起動中に第２の論理レベルを出力するように構成された可調電力供給器に接続された第２の入力と
を備えることを特徴とする携帯用通信装置。
【請求項８】
前記検出回路の前記出力は、前記検出回路の前記第３の入力に接続されていることを特徴とする請求項７に記載の携帯用通信装置。
【請求項９】
前記検出回路の前記第１、第２、第３の入力に基づく新規出力を生成するための生成手段をさらに備えることを特徴とする、請求項８に記載の携帯用通信装置。
【請求項１０】
前記新規出力を格納するための記憶手段をさらに備えることを特徴とする請求項９に記載の携帯用通信装置。
【請求項１１】
前記検出回路は、ＡＮＤゲートと、ＯＲゲートとを含むことを特徴とする、請求項７乃至１０のいずれか１項に記載の携帯用通信装置。
【請求項１２】
前記検出回路の、前記第１の入力と前記第３の入力とは、前記ＡＮＤゲートへの入力であることを特徴とする、請求項１１に記載の携帯用通信装置。
【請求項１３】
前記検出回路の前記第２の入力と前記ＡＮＤゲートの前記出力とは、前記ＯＲゲートへの入力であることを特徴とする、請求項１２に記載の携帯用通信装置。
【請求項１４】
前記ＯＲゲートの前記出力は、前記検出回路の前記出力であることを特徴とする、請求項１３に記載の携帯用通信装置。
【請求項１５】
前記出力は、前記携帯用通信装置の起動中の論理出力を決定するためのプルダウン抵抗と接続されていることを特徴とする、請求項８乃至１４のいずれか１項に記載の携帯用通信装置。
【発明の詳細な説明】
【技術分野】
【０００１】
本発明は、携帯用通信装置の分野に関し、より具体的にはバッテリが上記携帯用通信装置から取り外されたか否かを検出する検出回路を備えた携帯用通信装置に関するものである。さらに、本発明はバッテリが携帯用通信装置から取り外されたか否かを検出する方法に関するものである。
【背景技術】
【０００２】
携帯電話のような携帯用通信装置は電源として働く１つまたは複数のバッテリを備える。バッテリはしばしば再充電可能で、バッテリが携帯用通信装置に差し込まれている状態で充電されるかもしれないが、時には携帯用通信装置からはずされていることもある。もし、バッテリが取り外し可能ならば、バッテリが上記装置から取り外されたか否かを検出できることが望ましいであろう。
【０００３】
今日、バッテリの取り外しを検出する主な理由は、バッテリが取り外され、携帯用通信装置に使用されない時、バッテリの電力を温存することにある。今日のバッテリは通常、安全回路、トランジスタなどのエレクトロニクスが含まれているため、バッテリは携帯用通信装置と繋がっていない時であっても電力を消費する。これらの構成要素をシャットダウンまたはスイッチオフすることを可能にするためには、バッテリの取り外しが検出されなくてはならない。
【０００４】
この問題の解決策の１つは、バッテリに簡単な機械式のオンオフスイッチを使用することにある。しかしながら、バッテリに機械式スイッチを追加することはバッテリの部品点数が増加し、従って、コストがかかり、バッテリの複雑さが増すことになるであろう。
【０００５】
上記問題を解決するもうひとつの方法は、バッテリ内部で電子的な解決策を構築することである。この解決策では、バッテリの既存の電子部品、および、ソフトウェアの少なくともいずれかを基礎とした解決策を使用することができよう。今日において、バッテリの取り外しを電子的に検出する、このような異なる解決策が知られている。
【０００６】
しかしながら、今日における、バッテリの取り外しの検出は主にバッテリの温存または安全面に着目してのものである。それはバッテリに着目してのものでもあるが、携帯用通信装置には着目していない。即ち、携帯用通信装置自体は、バッテリが取り外されたか否かを認識していない。バッテリが取り外されたことを検出できるようになることは、将来重要な特徴となるであろう。これは携帯用通信装置の使用者によりよいサービスを提供するだけでなく、上記電話の他の機能について検出する部品としても有用となりうる。
【発明の概要】
【０００７】
本発明は携帯用通信装置のバッテリが取り外されたか否かを認識することに関する課題の解決する。
【０００８】
本発明の第１の目的は、バッテリが携帯用通信装置から取り外されたか否かを検出する方法の提供にある。
【０００９】
本発明の第２の目的は、バッテリが取り外されたことを検出することを特徴とする携帯用通信装置の提供にある。
【００１０】
本発明の第１の側面によれば、前記携帯用通信装置の起動中に検出回路の電源をオンにする工程と、前記検出回路の第１の入力を第１の論理レベルに設定する工程と、前記検出回路の第２の入力を第２の論理レベルに設定する工程と、前記検出回路の出力を前記検出回路の第３の入力に供給する工程と、前記第１、第２、第３の入力に基づき前記検出回路の新規出力値を生成する工程と、前記新規出力値を記憶手段に保存する工程とを備えることを特徴とする方法によって目的が達成される。
【００１１】
本発明の第２の側面は、第１の側面において、一旦前記新規出力値が保存されると、前記検出回路の前記第２の入力を前記第１の論理レベルに設定する工程をさらに備えることを特徴とする方法を提供する。
【００１２】
本発明の第３の側面は、上記第１または第２の側面において、前記携帯用通信装置のスイッチが切られ、かつ、前記バッテリが定位置にある場合に、前記検出回路に前記出力値を保持するのに十分な電力を与える工程を備えることを特徴とする方法を提供する。
【００１３】
本発明の第４の側面は、上記第１または第２の側面において、前記携帯用通信装置の前記バッテリが取り外された場合に、前記検出回路への前記電力の供給を切り、前記出力値を前記第２の論理レベルに設定する工程を備えることを特徴とする方法を提供する。
【００１４】
本発明の第５の側面は、上記第１乃至第４のいずれか１つの側面において、前記検出回路の前記第１の入力を前記第１の論理レベルに設定する前記工程は、レベルシフトされたバッテリ電圧を前記入力に与える工程を含むことを特徴とする方法を提供する。
【００１５】
本発明の第６の側面は、上記第１乃至第５のいずれか１つの側面において、前記検出回路の前記第２の入力を前記第２の論理レベルに設定する前記工程は、前記携帯用通信装置の起動中は電圧調整器からの電圧を供給する工程を含むことを特徴とする方法を提供する。
【００１６】
本発明の第７の側面によれば、バッテリと、前記バッテリが携帯用通信装置から取り外されたか否かを検出するための検出回路と、を備える携帯用通信装置であって、前記検出回路は、前記バッテリに接続された第１の入力と、前記携帯用通信装置の起動中に第２の論理レベルを出力するように構成された可調電力供給器に接続された第２の入力とを備えることを特徴とする携帯用通信装置によって目的が達成される。
【００１７】
本発明の第８の側面は、第７の側面において、前記検出回路の前記出力は、前記検出回路の前記第３の入力に接続されていることを特徴とする携帯用通信装置を提供する。
【００１８】
本発明の第９の側面は、第８の側面において、前記検出回路の前記第１、第２、第３の入力に基づく新規出力を生成するための生成手段をさらに備えることを特徴とする携帯用通信装置を提供する。
【００１９】
本発明の第１０の側面は、第９の側面において、前記新規出力を格納するための記憶手段をさらに備えることを特徴とする携帯用通信装置を提供する。
【００２０】
本発明の第１１の側面は、上記第７乃至第１０のいずれか１つの側面において、前記検出回路は、ＡＮＤゲートと、ＯＲゲートとを含むことを特徴とする携帯用通信装置を提供する。
【００２１】
本発明の第１２の側面は、第１１の側面において、前記検出回路の、前記第１の入力と前記第３の入力とは、前記ＡＮＤゲートへの入力であることを特徴とする携帯用通信装置を提供する。
【００２２】
本発明の第１３の側面は、第１２の側面において、前記検出回路の前記第２の入力と前記ＡＮＤゲートの前記出力とは、前記ＯＲゲートへの入力であることを特徴とする携帯用通信装置を提供する。
【００２３】
本発明の第１４の側面は、第１３の側面において、前記ＯＲゲートの前記出力は、前記検出回路の前記出力であることを特徴とする携帯用通信装置を提供する。
【００２４】
本発明の第１５の側面は、上記第８乃至第１４のいずれか１つの側面において、前記出力は、前記携帯用通信装置の起動中の論理出力を決定するためのプルダウン抵抗と接続されていることを特徴とする携帯用通信装置を提供する。
【図面の簡単な説明】
【００２５】
【図１】携帯用通信装置に組み込まれている検出回路の構成の概略図である。
【図２】図１に示した検出回路の真理値表である。
【発明を実施するための形態】
【００２６】
本発明による携帯用通信装置は、ここでは携帯電話に関して述べられており、それは本発明の好適な装置である。しかしながら、携帯用通信装置は、コードレス電話、通信モジュール、ＰＤＡまたはノートパソコンのような他の装置、または無線波で通信し、電源としてバッテリを用いるその他の種類の携帯用装置もあり得る。
【００２７】
図１は上記携帯用通信装置に組み込まれている検出回路２の構成の概略を示している。本発明の好適な実施形態において、検出回路２は携帯電話に組み込まれており、携帯電話は複数のキーを有するキーパッド、ディスプレイ、スピーカおよびマイクロホンといったような入力／出力装置を含んでいる。これらは、携帯用通信装置に共通する特徴であり、当業者にはよく知られており、したがって詳細は示さない。
【００２８】
図１に示した検出回路２は１のＡＮＤゲート４と１のＯＲゲート６を備えている。ＡＮＤゲート４はＡとＱの２つの入力を有している。本発明の好適な実施形態において、ＡＮＤゲート４への入力Ａは検出回路２の第１の入力Ａも構成する。ＯＲゲート６も２つの入力、すなわちＢとＡＮＤゲート４からの出力を有する。ＯＲゲートの出力ｑはＡＮＤゲート４の入力Ｑとして用いられ、検出回路２の第３の入力を構成する。
【００２９】
入力Ａは携帯用通信装置のバッテリと接続されている。バッテリの電圧に応じて、接続は直接に行われるか、またはレベルシフトされた電圧を出力するために適切な回路を経由して行われる。このような回路の設計は当業者に知られていると考えるので、これ以上の詳細は述べない。重要な要素は、入力Ａに供給される電圧が、携帯用通信装置のプラットフォームに用いられる入力／出力電圧に本質的に対応していることである。携帯用通信装置として携帯電話を用いる好適な実施形態において、検出回路２の第１の入力Ａに供給されるレベルシフト電圧は１．８ボルトである。この場合１．８ボルトは論理１を定義する。しかしながら、本発明に関しては、すべての論理１を論理０、そしてすべての論理０を論理１としてさらにそれに合わせた回路を適用することができると理解すべきである。したがって、図２に示したものとは別の、しかし等価の真理値表によって、携帯用通信装置からバッテリが取り外されたことを検出することは可能であろう。
【００３０】
したがって、本発明の好適な実施形態において、バッテリが携帯用通信装置内にある限り、検出回路２の第１の入力Ａは論理１、そしてバッテリが所定の位置から取り外される時、論理０となるであろう。
【００３１】
検出回路２の第２の入力Ｂは可変電源に接続されている。可変電源は電力管理ＡＳＩＣ（Application Specific Integrated Circuit）に存在するであろう制御型電圧調整器、または分離型電圧調整器でもよい。本発明の好適な実施形態において、入力Ｂは携帯用通信装置において既存かつ別の目的で用いられている電圧調整器から得られる。携帯用通信装置の既存の要素を使用することで、コストを削減すること、そして携帯用通信装置において本発明を非常に安価に実施することが可能である。
【００３２】
電圧調整器は、携帯用通信装置が作動している間０ボルトを出力するように構成されている。この理由は以下において図２と共に詳細を説明していく。したがって、携帯用通信装置の起動中は検出回路２の第２の入力は論理０となるであろう。
【００３３】
検出回路２の第３の入力Ｑは検出回路２の出力ｑのフィードバックである。第３の入力レベルは、携帯用通信装置のスイッチが切られている時、その間バッテリが取り外されたか否かによって変動する。出力ｑはプルダウン抵抗（不図示）に接続され、携帯用通信装置の起動時かつバッテリ挿入時における信号ｑの論理出力を定義する。プルダウン抵抗の使用態様は当業者によく知られており、したがって更なる詳細はここでは示さない。本発明の好適な実施形態において、上記プルダウン抵抗は漏洩電流を最低限にするため、少なくとも２２０キロオーム、好ましくは４７０キロオームである。もし他の論理レベルを定義すべきであるならば、プルアップ抵抗を使用することも可能である。
【００３４】
次に図２を参照する。携帯用通信装置からバッテリが取り外されたかを結果として検出する方法について述べる。スイッチが切られた携帯用通信装置の電源を再び入れた時、上記方法が開始する。最初の段階は検出回路２を電源をオンにすることである。今、バッテリは携帯用通信装置に差し込まれている（そうでなければ携帯用通信装置の電源を入れることは不可能であろう）ことから、検出回路２の第１の入力Ａは上で述べたように論理１となるであろう。検出回路２の第２の入力Ｂは上で述べたように起動中は論理０となるであろう。すなわち、第２の入力に接続された電圧調整器の出力は切られているか、０電圧レベルを供給している。第３の入力Ｑは検出回路２の出力ｑのフィードバックである。信号ｑおよびそれに従う第３の入力Ｑはバッテリが取り外されたか否かによって変動するであろう。もしバッテリが取り外されたならば、信号ｑは０に等しくなるであろう。そして、バッテリが取り外されていなければ１となるであろう。
【００３５】
ここで、図２の真理値表を見る。携帯用通信装置の第１の入力Ａが０、すなわちバッテリが携帯用通信装置から取り外された時の出力ｑが何であるかということのみに理論的に着目していると理解すべきである。バッテリが取り外された時、検出回路２には今電源を有する。したがって、理論的知見では、第１の入力Ａおよび第２の入力Ｂいずれも０ならば、出力ｑは０となるであろう。第１の入力Ａが０かつ第２の入力が１ならば、上記出力ｑは検出回路の電源がオンになっているか否かによって変動するであろう。この出力ｑを真理値表においてｘとする。
【００３６】
次に、第１の入力が論理１、すなわち携帯用通信装置のバッテリが差し込まれている時の真理値表における２つの事象を見る。その２つの事象のうち第１の事象は第２の入力Ｂは０にセットされている。この事象は上記携帯用通信端末が起動中に起こるであろう。第１の入力Ａが１にセットされ、かつ第２の入力Ｂが０にセットされると、検出回路２の出力ｑは出力ｑ自身になるであろう。以下に述べる詳細のように、携帯用通信装置からバッテリが取り外されていれば、ｑは０、バッテリが取り外されていなければ、ｑは１になるであろう。携帯用通信装置の起動中にこのような方法で生成された出力ｑはある種の記憶手段、好ましくは携帯用通信装置に既存の記憶手段に格納されるであろう。これらの起動値の格納により、携帯用通信装置のスイッチが切られている時にバッテリが取り外されたかを示すログが作成されるであろう、このログは、その後に例えば、携帯用通信装置がサービス、点検または修理を受けている時、サービス員が後から使うことができる。
【００３７】
上で述べた事象の２番目では、検出回路２の第１の入力Ａが上記のとおり１で、第２の入力Ｂも１である。これはｑの起動値が上記記憶手段に格納された後、携帯用通信装置の初回の起動後に起こるであろう。検出装置２の第１の入力Ａと第２の入力Ｂのどちらも１の時、出力ｑは必ず１になるであろう。これはバッテリが携帯用通信装置に取り付けられていることを示す。
【００３８】
ここで、携帯用通信装置の電源を切る場合、以下のことが起こるであろう。もし、携帯用通信装置からバッテリが取り外されていなければ、バッテリは出力（ｑ）の値をその状態での値、すなわち１で保持するのに十分な電力を検出回路２に供給し続けるであろう。もしここで、携帯用通信装置の電源を再び入れるならば、すなわち携帯用通信装置のスイッチが切られている間バッテリが取り外されることがなければ、検出回路２の入力は、Ａ＝１、Ｂ＝０およびＱ＝１となるであろう。したがって、上記記憶手段に保存される新しい起動値は１となるであろう。これは携帯用通信装置の電源が切られている間バッテリが取り外されていなかったことを示す。
【００３９】
しかしながら、もしバッテリが携帯用通信装置から取り外されたならば、検出回路２への電源は遮断されるか切られ、そして出力ｑは１から０になるであろう。携帯用通信装置の所定の位置にバッテリを戻しても出力ｑには影響せず、０のままであろう。
【００４０】
携帯用通信装置が再起動されるとき、ｑは０であろう。したがって、検出回路２の第２の入力Ｂが１になり、よって、上記出力ｑが１になる前に、この値が上記記憶手段に格納される。
【００４１】
本発明による携帯用通信装置は上で開示したもの以外の数多くの方法で変更することができる。例えば、検出回路全体をプルダウン抵抗または場合によってはプルアップ抵抗を含むＡＳＩＣとして実現できる。それは、例えもし本発明が特定の特徴を有する好適な実施形態によって説明されていても、１つの実施形態の個々の特徴は他の実施形態または他の実施形態における他の個々の特徴とあわせることができようということは当業者にとって明確である、とも考えられるであろう。
【図１】
2011517166.tif 000003
【図２】
2011517166.tif 000004
【手続補正書】
【提出日】平成22年6月7日(2010.6.7)
【手続補正１】
【補正対象書類名】特許請求の範囲
【補正対象項目名】全文
【補正方法】変更
【補正の内容】
【特許請求の範囲】
【請求項１】
携帯用通信装置のスイッチが切られている間に、バッテリが前記携帯用通信装置から取り外されたか否かを検出する方法であって、
前記携帯用通信装置の起動中に検出回路（２）の電源をオンにする工程であって、前記検出回路（２）がＡＮＤゲート（４）と、ＯＲゲート（６）とを備え、前記バッテリに接続された第１の入力と第３の入力（Ｑ）とを前記ＡＮＤゲート（４）への入力として有し、第２の入力（Ｂ）と前記ＡＮＤゲート（４）の前記出力とを前記ＯＲゲート（６）への入力として有し、前記ＯＲゲート（６）の前記出力を前記検出回路（２）の前記出力（ｑ）として有する、工程と、
前記検出回路（２）の前記第１の入力（Ａ）を第１の論理レベルに設定する工程と、
起動中において、前記検出回路（２）の第２の入力（Ｂ）を第２の論理レベルに設定する工程と、
前記検出回路（２）の前記出力（ｑ）を前記検出回路（２）の前記第３の入力（Ｑ）に供給する工程と、
前記第１、第２、第３の入力に基づき前記検出回路（２）の新規出力値（ｑ）を生成する工程と、
前記新規出力値をログとして記憶手段に格納する工程と、
一旦前記新規出力値が保存されると、前記検出回路の前記第２の入力を前記第１の論理レベルに設定する工程と
を備えることを特徴とする方法。
【請求項２】
前記携帯用通信装置のスイッチが切られ、かつ、前記バッテリが定位置にある場合に、前記検出回路（２）に前記出力値（ｑ）を保持するのに十分な電力を与える工程を備えることを特徴とする請求項１に記載の方法。
【請求項３】
前記携帯用通信装置の前記バッテリが取り外された場合に、前記検出回路（２）への前記電力の供給を切り、前記出力値（ｑ）を前記第２の論理レベルに設定する工程を備えることを特徴とする請求項１に記載の方法。
【請求項４】
前記検出回路（２）の前記第１の入力（Ａ）を前記第１の論理レベルに設定する前記工程は、
レベルシフトされたバッテリ電圧を前記入力に与える工程を含むことを特徴とする請求項１乃至３のいずれか１項に記載の方法。
【請求項５】
前記検出回路（２）の前記第２の入力（Ｂ）を前記第２の論理レベルに設定する前記工程は、
前記携帯用通信装置の起動中は電圧調整器からの電圧を供給する工程を含むことを特徴とする請求項１乃至４のいずれか１項に記載の方法。
【請求項６】
バッテリと、
携帯用通信装置のスイッチが切られている間に、前記バッテリが携帯用通信装置から取り外されたか否かを検出するための検出回路（２）と、を備える携帯用通信装置であって、
前記検出回路（２）は、
ＡＮＤゲート（４）と、ＯＲゲート（６）とを備え、
第１の入力と第３の入力（Ｑ）とを前記ＡＮＤゲート（４）への入力として有し、第２の入力（Ｂ）と前記ＡＮＤゲート（４）の前記出力とを前記ＯＲゲート（６）への入力として有し、前記ＯＲゲート（６）の前記出力を前記検出回路（２）の前記出力（ｑ）として有し、
前記第１の入力（Ａ）は、前記バッテリに接続され、
前記第２の入力（Ｂ）は、前記携帯用通信装置の起動中に第２の論理レベルを出力するように構成された可調電力供給器に接続され、
前記第３の入力（Ｑ）は、前記検出回路（２）の前記出力（ｑ）と対応し、
前記検出回路（２）は、前記検出回路（２）の前記第１（Ａ）、第２（Ｂ）、第３（Ｑ）の入力に基づく新規出力を生成し、前記新規出力値をログとして記憶手段に格納するように構成されている
ことを特徴とする携帯用通信装置。
【請求項７】
前記出力（ｑ）は、前記携帯用通信装置の起動中の論理出力を決定するためのプルダウン抵抗と接続されていることを特徴とする、請求項６に記載の携帯用通信装置。
【手続補正書】
【提出日】平成22年9月30日(2010.9.30)
【手続補正１】
【補正対象書類名】明細書
【補正対象項目名】０００５
【補正方法】変更
【補正の内容】
【０００５】
上記問題を解決するもうひとつの方法は、バッテリ内部で電子的な解決策を構築することである。この解決策では、バッテリの既存の電子部品、および、ソフトウェアの少なくともいずれかを基礎とした解決策を使用することができよう。今日において、バッテリの取り外しを電子的に検出する、このような異なる解決策が知られている。
韓国公開特許第１０−２００６−００４０１６５号公報では、起動中の携帯用通信装置からバッテリが取り外されたことを検出する方法が公開されている。検出の目的は、予期しないバッテリの取り外しを検出することにあり、メモリに保存されたデータを保護するため、何らかの適切な動作をさせる。しかしながら、韓国公開特許第１０−２００６−００４０１６５号公報は携帯用通信装置の電源が切られている間にバッテリが取り外されたか否かを検出することはできない。
国際公開第２００７／００６８４６号では、電子装置に使われるバッテリの種類や、バッテリが電子装置から取り外されたか否かをも特定するための、信頼性のある方法およびインターフェースの配置について公開されている。上記バッテリの特定は、電子装置に使用しているバッテリの種類に合った充電をするために用いられる。国際公開第２００７／００６８４６号においても、電子装置の電源が切られている間にバッテリが取り外されたか否かを検出することはできない。
【国際調査報告】
2011517166.tif 000005
2011517166.tif 000006